(57)【要約】【課題】各種の機器等を複数接続する場合における夫々の識別符号を自動的に設定できるようにする。【解決手段】データ通信ラインを経て動作が管理される複数の被管理装置ＳＬと、複数の被管理装置ＳＬ夫々を識別するための識別符号を管理する主制御装置ＭＡとが通信可能に接続された連係システムにおいて、被管理装置ＳＬの識別符号を設定する識別符号設定システムが、被管理装置ＳＬの夫々に識別符号設定制御回路６１が備えられ、識別符号設定制御回路６１間で、自己の識別符号の設定処理が完了したことを示す設定完了信号を次の段の識別符号設定制御回路６１の設定開始信号として受け渡しして、夫々の識別符号設定制御回路６１において順次に前の段の識別符号から自己の識別符号を設定して行くように構成されている。【選択図】図１
2005235010.tif 000002
【特許請求の範囲】
【請求項１】
データ通信ラインを経て動作が管理される複数の被管理装置と、前記複数の被管理装置夫々を識別するための識別符号を管理する主制御装置とが通信可能に接続された連係システムにおいて、前記被管理装置の識別符号を設定する識別符号設定システムであって、
前記被管理装置の夫々に識別符号設定制御回路が備えられ、
前記識別符号設定制御回路に、前記識別符号の設定処理を開始するべきタイミングを示す設定開始信号が入力される設定信号入力部と、自己の前記識別符号の設定処理が完了したことを示す設定完了信号を出力する設定信号出力部とが備えられ、
前記識別符号設定制御回路の前記設定信号入力部に他の前記被管理装置に備えられた前記識別符号設定制御回路の設定信号出力部が接続される状態で、前記複数の識別符号設定制御回路がカスケード状に一連に接続され、
前記識別符号設定制御回路は、それの設定信号入力部が接続している他の前記識別符号設定制御回路の前記設定信号出力部から前記設定完了信号が出力されて前記設定開始信号として入力されたときに、その設定開始信号の送信元の前記被管理装置において設定された前記識別符号を読み取り、その識別符号に基づいて設定演算規則によって自己の前記識別符号を設定すると共に、その設定の完了に伴って前記設定完了信号を前記設定信号出力部から出力するように構成され、
前記主制御装置は、一連に接続される前記複数の識別符号設定制御回路の端に位置する前記識別符号設定制御回路の前記設定信号出力部から前記設定完了信号を受け取るように構成されている識別符号設定システム。
【請求項２】
前記識別符号設定制御回路は、前記設定演算規則として、前記設定信号入力部へ入力された前記設定開始信号の送信元の前記被管理装置において設定された前記識別符号に設定数を加算又は減算するように構成されている請求項１記載の識別符号設定システム。
【請求項３】
前記識別符号設定制御回路に、前記識別符号受け取る識別符号入力部と、自己の前記識別符号を出力する識別符号出力部とが備えられ、
前記複数の識別符号設定制御回路は、前記設定信号入力部及び前記設定信号出力部についての前記カスケード状の接続状態と対応して、前記識別符号設定制御回路の前記識別符号入力部に他の前記被管理装置に備えられた前記識別符号設定制御回路の識別符号出力部が接続される状態で、前記複数の識別符号設定制御回路がカスケード状に一連に接続されている請求項１又は２記載の識別符号設定システム。
【請求項４】
前記設定信号入力部は、擬似的に前記設定開始信号を受け取った状態に相当する側にプルアップ接続又はプルダウン接続され、
前記識別符号入力部及び前記識別符号出力部は、設定ビット数分の信号ラインを接続するように構成され、
前記識別符号入力部において、前記信号ラインをプルアップ接続あるいはプルダウン接続するように構成されている請求項３記載の識別符号設定システム。
【発明の詳細な説明】
【技術分野】
【０００１】
本発明は、データ通信ラインを経て動作が管理される複数の被管理装置と、前記複数の被管理装置夫々を識別するための識別符号を管理する主制御装置とが通信可能に接続された連係システムにおいて、前記被管理装置の識別符号を設定する識別符号設定システムに関する。
【背景技術】
【０００２】
各種の機器等で構成される前記被管理装置を複数個接続した状態で通信を行うには、前記被管理装置の夫々に識別符号を割り当てて、その識別符号によって通信相手を特定するのが一般的である。
この識別符号の設定手法としては、従来、例えば下記特許文献１にも記載のＳＣＳＩインターフェースのように、各機器毎にディップスイッチ等で前記識別符号を設定する手法が良く知られている。
【特許文献１】特開２００１−６７１９８号公報
【発明の開示】
【発明が解決しようとする課題】
【０００３】
しかしながら、上述のような手動操作により前記識別符号の設定を行う手法では、装置の管理負担が大となってしまう不都合がある。
本発明は、かかる実情に鑑みてなされたものであって、その目的は、各種の機器等を複数接続する場合における夫々の識別符号を自動的に設定できるようにする点にある。
【課題を解決するための手段】
【０００４】
本出願の第１の発明は、データ通信ラインを経て動作が管理される複数の被管理装置と、前記複数の被管理装置夫々を識別するための識別符号を管理する主制御装置とが通信可能に接続された連係システムにおいて、前記被管理装置の識別符号を設定する識別符号設定システムであって、前記被管理装置の夫々に識別符号設定制御回路が備えられ、前記識別符号設定制御回路に、前記識別符号の設定処理を開始するべきタイミングを示す設定開始信号が入力される設定信号入力部と、自己の前記識別符号の設定処理が完了したことを示す設定完了信号を出力する設定信号出力部とが備えられ、前記識別符号設定制御回路の前記設定信号入力部に他の前記被管理装置に備えられた前記識別符号設定制御回路の設定信号出力部が接続される状態で、前記複数の識別符号設定制御回路がカスケード状に一連に接続され、前記識別符号設定制御回路は、それの設定信号入力部が接続している他の前記識別符号設定制御回路の前記設定信号出力部から前記設定完了信号が出力されて前記設定開始信号として入力されたときに、その設定開始信号の送信元の前記被管理装置において設定された前記識別符号を読み取り、その識別符号に基づいて設定演算規則によって自己の前記識別符号を設定すると共に、その設定の完了に伴って前記設定完了信号を前記設定信号出力部から出力するように構成され、前記主制御装置は、一連に接続される前記複数の識別符号設定制御回路の端に位置する前記識別符号設定制御回路の前記設定信号出力部から前記設定完了信号を受け取るように構成されている。
【０００５】
すなわち、前記被管理装置の夫々において、識別符号設定制御回路は、前記設定開始信号の送信元の識別符号に基づいて一定のルールで演算することで、その識別符号設定用制御回路が備えられている前記被管理装置の識別符号を設定すると共に、その設定が完了すると、前記設定完了信号を送信する。
この設定完了信号を次ぎの段の前記設定開始信号として連鎖的に受け渡しすることで、識別符号設定制御回路の夫々において、連鎖的に識別符号が設定されて行き、最後に、主制御装置が前記設定完了信号を受け取ったときに、主制御装置は、一連に接続される前記被管理装置の全てにおいて識別符号が設定されたことを確認できる。
【０００６】
又、本出願の第２の発明は、上記第１の発明の構成に加えて、前記識別符号設定制御回路は、前記設定演算規則として、前記設定信号入力部へ入力された前記設定開始信号の送信元の前記被管理装置において設定された前記識別符号に設定数を加算又は減算するように構成されている。
従って、前記識別符号設定制御回路は、加算あるいは減算だけの単純な処理で前記識別符号を設定できる。
【０００７】
又、本出願の第３の発明は、上記第１又は第２の発明の構成に加えて、前記識別符号設定制御回路に、前記識別符号受け取る識別符号入力部と、自己の前記識別符号を出力する識別符号出力部とが備えられ、前記複数の識別符号設定制御回路は、前記設定信号入力部及び前記設定信号出力部についての前記カスケード状の接続状態と対応して、前記識別符号設定制御回路の前記識別符号入力部に他の前記被管理装置に備えられた前記識別符号設定制御回路の識別符号出力部が接続される状態で、前記複数の識別符号設定制御回路がカスケード状に一連に接続されている。
【０００８】
すなわち、識別符号設定制御回路の夫々が、自己の識別符号を設定するために必要とする設定済みの識別符号の情報を取得するについては、例えば、夫々の識別符号設定制御回路において自己の識別符号を設定すると、その識別符号を主制御装置へ通知するように構成し、自己の識別符号の設定に必要な他の被管理装置の識別符号を主制御装置を介して受け取るという手法も考えられるが、これに対して、識別符号の授受についても前記設定開始信号（前記設定完了信号）の授受と同様に、信号ラインをカスケード状に接続することで、識別符号の授受の手続を簡略化することができる。
【０００９】
又、本出願の第４の発明は、上記第３の発明の構成に加えて、前記設定信号入力部は、擬似的に前記設定開始信号を受け取った状態に相当する側にプルアップ接続又はプルダウン接続され、前記識別符号入力部及び前記識別符号出力部は、設定ビット数分の信号ラインを接続するように構成され、前記識別符号入力部において、前記信号ラインをプルアップ接続あるいはプルダウン接続するように構成されている。
すなわち、複数の被管理装置間で順次に前記設定開始信号（前記設定完了信号）や識別符号を受け渡して、夫々の被管理装置において識別符号を設定するとき、最初に識別符号を設定する識別符号設定制御回路が必要とする前記設定開始信号や識別符号をどのように設定するかが問題となる。
この最初の識別符号の設定に必要となる前記設定開始信号や識別符号を、主制御装置から送信して設定することも可能であるが、そのようなデータを送信するための配線が別途必要になると共に、新たに前記被管理装置を接続するときや接続済みの前記被管理装置を取り外すとき等において配線のやり直しが必要となる。
【００１０】
これに対して、前記設定信号入力部や前記識別符号入力部において信号ラインをプルアップ接続あるいはプルダウン接続することで、最初に識別符号を設定する識別符号設定制御回路の信号入力部に何も接続されていない状態で、そのプルアップ接続あるいはプルダウン接続に応じた初期状態が設定されることになる。もちろん、他の識別符号設定制御回路と接続している前記設定信号入力部等においては、プルアップ接続あるいはプルダウン接続であるので、伝達される情報に干渉することもない。
【発明の効果】
【００１１】
上記第１の発明によれば、複数の被管理装置間で前記設定開始信号（前記設定完了信号）を順送りして、識別符号設定制御回路の夫々において識別符号が連鎖的に設定されると共に、主制御装置は制御等に必要な情報を取得することができる。
もって、各種の機器等を複数接続する場合における夫々の識別符号を自動的に設定でき、装置の管理負担を軽減できるものとなった。
【００１２】
又、上記第２の発明によれば、前記識別符号設定制御回路は、加算あるいは減算だけの単純な処理で前記識別符号を設定できるので、回路構成の簡素化を図ることができる。
又、上記第３の発明によれば、識別符号の授受のための信号ラインをカスケード状に接続することで、識別符号の授受の手続を簡略化することができるので、システム構成の一層の簡素化を図ることができる。
又、上記第４の発明によれば、識別符号の設定のための初期状態についても主制御装置が関与する必要がないので、システム構成を更に簡素化することができる。
【発明を実施するための最良の形態】
【００１３】
以下、本発明の識別符号設定システムを、写真プリントシステムの一部として備えた場合の実施の形態を図面に基づいて説明する。
本実施の形態で例示する写真プリントシステムＤＰは、図４に示すように、現像処理済みの写真フィルムの駒画像を読取るフィルムスキャナＦＳと、フィルムスキャナＦＳにて読み取った駒画像を記録紙２にプリントするプリンタ部ＥＰとから構成されている。
【００１４】
〔フィルムスキャナＦＳの概略構成〕
フィルムスキャナＦＳは、図示を省略するが、ハロゲンランプ等の光源、写真フィルムを搬送するフィルムキャリア、写真フィルムの駒画像を検出するためのＣＣＤラインセンサユニット、及び、レンズ等を主要部として構成され、フィルムキャリアに写真フィルムがセットされると、写真フィルムの駒画像が順次読み取られて、赤色、緑色、青色毎の画像データで構成されるカラーデジタル画像データとしてプリンタ部ＥＰへ出力される。
【００１５】
〔プリンタ部ＥＰの全体構成〕
プリンタ部ＥＰは、図４に概略的に示すように、筐体内部に、記録紙２に対してインクを吐出することにより記録紙２上に画像を形成する画像形成装置２０と、フィルムスキャナＦＳから入力された画像データに対して所定の画像処理を施すと共に、画像処理後の画像データを画像形成装置２０にてプリントするための画像データに変換処理するプリンタ制御装置２１と、多数の搬送ローラ２９を備えて記録紙ロール２３から記録紙２を引き出し搬送する記録紙搬送系ＰＴと、その記録紙搬送系ＰＴにて搬送される記録紙２を所定のプリントサイズに切断するためのカッタ２４とが設けられ、画像形成装置２０にてプリント処理された記録紙２は、カッタ２４にて所定のプリントサイズに切断された後、筐体外部に備えられたトレー２５上に排出される。
【００１６】
プリンタ制御装置２１には、プリント画像をシミュレートして表示するためのモニタ２６と、操作者がそのモニタ２６に表示されたシミュレート画像を観察して画像処理の補正量を指示入力するための操作卓２７と、ＭＯドライブ装置やＣＤ−Ｒドライブ装置等の外部入出力装置２８とが接続されている。外部入出力装置２８を備えることによって、フィルムスキャナＦＳから入力された写真フィルムの画像データ以外に、ＣＤ−Ｒメディアやメモリカード等の各種の記録媒体に記録された画像データによって写真プリントを作製することができると共に、フィルムスキャナＦＳにて読み取った画像データをそれらの記録媒体に記録保存することができる。
【００１７】
〔画像形成装置２０の概略構成〕
画像形成装置２０は、図４に概略的に示すように、記録紙２に対してインクを吐出するインクジェット式のプリントヘッド３１と、プリントヘッド３１を制御するヘッドコントローラ３２と、プリンタ制御装置２１にて処理された画像データをヘッドコントローラ３２へ送るための画像データに編成するデータ出力装置３３と、プリントヘッド３１による画像形成位置において記録紙２を支持する板状の支持体３４と、プリントヘッド３１のフラッシング動作時に吐出したインクを吸引除去するための排出ダクト３５とが備えられて構成されている。プリントヘッド３１の走査方向（主走査方向）視で示す図２のように、支持体３４の裏面側には、吸引ファンユニット３６がダクト３７が取り付けられている。吸引ファンユニット３６の吸引力により、支持体３４の開口３４ａを通して記録紙２を吸引し、記録紙２が支持体３４の支持面に沿って安定姿勢で搬送されるようにしている。
【００１８】
プリントヘッド３１は、図２に示すように、底部側に多数のインク吐出ノズルを配列して備えたノズルユニット４１が３段に取付けられている。便宜上、３段に備えられるノズルユニット４１のうち、上段のものを第１ノズルユニット４１ａ、中段のものを第２ノズルユニット４１ｂ、下段のものを第３ノズルユニット４１ｃと称する。
ノズルユニット４１夫々のインク吐出ノズルは使用するインクの色毎に１列備えられており、インク色としては例えばイエロー，シアン，マゼンタ，ブラックの各インク色に対応しているが、更に、淡色のインク色に対応するようにしても良い。
プリントヘッド３１は、２本のガイドロッド４２に支持されて、図示を省略するヘッド走査機構にて主走査方向に移動駆動される。
【００１９】
〔ヘッドコントローラ３２及びデータ出力装置３３の構成〕
図１に示すように、データ出力装置３３には、記録紙２上に形成する画像のラスタ画像データを管理して、そのラスタ画像データのうちのどの領域をどのノズルユニット４１にて画像形成するかを割り振る機能を主な機能とするラスタ制御装置５１が備えられ、ヘッドコントローラ３２には、第１ノズルユニット４１ａ，第２ノズルユニット４１ｂ及び第３ノズルユニット４１ｃを夫々制御する第１ヘッド制御装置５５（図１中では、「第１ＨＣ」と略記），第２ヘッド制御装置５６（図１中では、「第２ＨＣ」と略記）及び第３ヘッド制御装置５７（図１中では、「第３ＨＣ」と略記）が備えられている。第１ヘッド制御装置５５〜第３ヘッド制御装置５７は、着脱可能な回路基板として配置されている。
本実施の形態では、このラスタ制御装置５１による第１ヘッド制御装置５５〜第３ヘッド制御装置５７の管理に、本発明の識別符号設定システムが適用されている。
【００２０】
ラスタ制御装置５１から各ヘッドコントローラ３２に対しては、図１中において「ＤＡＴＡ」として示すデータ通信ラインでプリントのための画像データが送られ、その動作が管理される。
ラスタ制御装置５１では、この画像データの送り先を特定するために、第１ヘッド制御装置５５〜第３ヘッド制御装置５７の夫々を識別符号によって管理している。
この識別符号は、第１ヘッド制御装置５５〜第３ヘッド制御装置５７の夫々において設定され、第１ヘッド制御装置５５〜第３ヘッド制御装置５７の夫々は、この識別符号の設定のために識別符号設定制御回路６１（図１中においては、「ＩＤ設定回路」と略記）が備えられている。
【００２１】
第１ヘッド制御装置５５〜第３ヘッド制御装置５７の夫々に備えられた識別符号設定制御回路６１は、互いに重複しない識別符号を付与するように連動して動作する。
この連動動作のために、各識別符号設定制御回路６１には、識別符号の設定処理を開始するべきタイミングを示す設定開始信号が入力される設定信号入力部６１ａと、自己の識別符号の設定処理が完了したことを示す設定完了信号を出力する設定信号出力部６１ｂとが備えられ、更に、設定した識別符号やり取りするために、識別符号を受け取るための識別符号入力部６１ｃと、設定した自己の識別符号を出力するための識別符号出力部６１ｄとが備えられている。
【００２２】
各識別符号設定制御回路６１の設定信号入力部６１ａ及び設定信号出力部６１ｂは、図１において「ＣＯＮＦＤＯＮＥ」として示す信号ラインで接続されている。
この接続状態について説明すると、例えば、第２ヘッド制御装置５６に備えられた識別符号設定制御回路６１の設定信号入力部６１ａが第３ヘッド制御装置５７に備えられた識別符号設定制御回路６１の設定信号出力部６１ｂに接続されているように、識別符号設定制御回路６１の設定信号入力部６１ａに他のヘッド制御装置の設定信号出力部６１ｂが接続される状態で、第１ヘッド制御装置５５〜第３ヘッド制御装置５７夫々の３つの識別符号設定制御回路６１がカスケード状に接続されている。
すなわち、ある識別符号設定制御回路６１の設定信号出力部６１ｂから出力された前記設定完了信号が他の識別符号設定制御回路６１の設定信号入力部６１ａへ前記設定開始信号として入力される関係として、連鎖的に動作するようにしているのである。
【００２３】
各識別符号設定制御回路６１の識別符号入力部６１ｃ及び識別符号出力部６１ｄは、図１において「ＡＲＢＩＤ」として示す信号ラインで接続されている。
この「ＡＲＢＩＤ」として示す信号ラインも、上述の「ＣＯＮＦＤＯＮＥ」として示す信号ラインの接続状態と対応して、識別符号設定制御回路６１の識別符号入力部６１ｃに他のヘッド制御装置の識別符号出力部６１ｄが接続される状態で、第１ヘッド制御装置５５〜第３ヘッド制御装置５７夫々の３つの識別符号設定制御回路６１がカスケード状に一連に接続されている。ラスタ制御装置５１は、この一連に接続される識別符号設定制御回路６１の端に位置する識別符号設定制御回路６１（すなわち、前記設定信号出力部６１ｂ及び識別符号出力部６１ｄが空いている第１ヘッド制御装置５５の識別符号設定制御回路６１）の設定信号出力部６１ｂ及び識別符号出力部６１ｄから、前記設定完了信号及び識別符号を受け取る。
【００２４】
各識別符号設定制御回路６１はいわゆるＦＰＧＡとして実装され、実質的に図３のフローチャートに示す処理を実行するように論理回路として構成されている。
各識別符号設定制御回路６１は、ラスタ制御装置５１が識別符号の設定を指令する信号を出力すると一斉に図３に示す処理を開始し、先ず、夫々の設定信号入力部６１ａへ前記設定開始信号が入力されているかを確認する。
この設定開始信号は、本実施の形態では、設定信号入力部６１ａを「Ｈレベル」とする場合を例示している。図１において各信号ラインに付している「▽」印はプルアップ接続を意味しており、適切な抵抗値の抵抗を介して電源電圧側に接続されているが、各設定信号入力部６１ａにおけるプルアップ接続は、擬似的にこの設定開始信号を作り出すために設けられている。
【００２５】
すなわち、他の識別符号設定制御回路６１の設定信号出力部６１ｂに接続されていない第３ヘッド制御装置５７の設定信号入力部６１ａには、常に前記設定開始信号が入力されている状態となっている。
これに対して、第１ヘッド制御装置５５及び第２ヘッド制御装置５６の設定信号入力部６１ａは、少なくとも図３の処理の開始時においては、接続先の設定信号出力部６１ｂの出力によって「Ｌレベル」に保持されている。
従って、第１ヘッド制御装置５５及び第２ヘッド制御装置５６は、図３のステップ＃１で待機しているのに対して、第３ヘッド制御装置５７は、直ちにステップ＃２へ移行し、それの識別符号入力部６１ｃに入力されている値を読み取って、その読み取った値に「１」を加算するという設定演算規則を適用して自己の識別符号として設定し（ステップ＃２）、内蔵されているメモリにその識別符号を書き込んで保存する（ステップ＃３）。
【００２６】
本実施の形態では、ラスタ制御装置５１は３つのヘッド制御装置５５〜５７を管理しており、「０」を始番とする連続する整数として識別符号を割り当てる場合を例示している。
従って、「ＡＲＢＩＤ」で示す信号ラインは２ビット分の信号ライン（２本の信号ライン）で構成される。
このような場合において、図１に示すように識別符号入力部６１ｃに接続する信号ラインのいずれもが２進数表現で「１」の相当する状態となるようにプルアップ接続されて、第３ヘッド制御装置５７の識別符号入力部６１ｃには２進数表現で「１１」が入力されている状態になっている。
この入力値に「１」を加えることでオーバーフローし、第３ヘッド制御装置５７には識別符号「００」（２進数表現）が割り当てられる。
【００２７】
以上のようにして、自己の識別符号の設定が完了すると、第３ヘッド制御装置５７に備えられた識別符号設定制御回路６１は、識別符号出力部６１ｄからの設定した自己の識別符号「００」（２進数表現）を出力すると共に、設定信号出力部６１ｂを「Ｌレベル」から「Ｈレベル」に切換えて、前記設定完了信号として出力し、所定時間経過後に「Ｌレベル」に戻す（ステップ＃４）。すなわち、前記設定完了信号を所定時間幅のパルス信号として出力する。
これに伴って、第２ヘッド制御装置５６の識別符号設定制御回路６１は、ステップ＃２以降の処理へ移行し、同様にして、識別符号入力部６１ｃの入力値「００」（２進数表現）に「１」を加算して自己の識別符号を「０１」（２進数表現）として設定する。
この後、第１ヘッド制御装置５５も、識別符号入力部６１ｃの入力値「０１」（２進数表現）に「１」を加算して自己の識別符号を「１０」（２進数表現）として設定する。
このようにして、第１ヘッド制御装置５５〜第３ヘッド制御装置５７には、夫々、１０進数表現で「２」，「１」，「０」とシンプルで制御に好適な識別符号が設定される。
【００２８】
第１ヘッド制御装置５５が自己の識別符号を設定して、「ＡＲＢＩＤ」として示す信号ラインに自己の識別符号を出力すると共に、前記設定完了信号を出力すると、ラスタ制御装置５１は、「ＡＲＢＩＤ」として示す信号ラインの値を読み取ることで、第１ヘッド制御装置５５〜第３ヘッド制御装置５７の３つのヘッド制御装置が接続されていることを検出できる。
ラスタ制御装置５１は、このようにして検出したヘッド制御装置の数に応じて、ラスタ画像データの各ノズルユニット４１への割り振りを設定し、第１ヘッド制御装置５５〜第３ヘッド制御装置５７のいずれかから前記識別符号を提示してプリントすべきデータを要求されたときは、要求のあった識別符号に割り振った画像データを、その画像データの先頭に識別符号を付した状態で「ＤＡＴＡ」として示す信号ラインへ送出する。
第１ヘッド制御装置５５〜第３ヘッド制御装置５７の夫々では、画像データの先頭に付された識別符号が自己の識別符号か否かをチェックして、自己の識別符号と一致すれば、その画像データを取込んでプリント動作する。
【００２９】
このように構成することで、仮にノズルユニット４１とヘッド制御装置との対を１つ取り外した場合でも、あるいは逆に、新たにノズルユニット４１とそのノズルユニット４１のためのヘッド制御装置とを追加した場合でも、何ら変わりなく自動的に各ヘッド制御装置の識別符号を設定できる。
以上から、ラスタ制御装置５１は、被管理装置ＳＬである第１ヘッド制御装置５５〜第３ヘッド制御装置５７の識別符号を管理する主制御装置ＭＡとして機能する。
【００３０】
〔写真プリントの作製動作〕
次に、上記構成の写真プリントシステムＤＰによる写真プリントの作製動作を概略的に説明する。
操作者が写真フィルムの駒画像について写真プリントの作製を指示入力したときは、プリンタ制御装置２１は、フィルムスキャナＦＳに対して写真フィルムの読み取りを指令し、フィルムスキャナＦＳからその写真フィルムの画像データを順次受取って、各種の画像処理を施して内蔵メモリに記録する。
一方、操作者がメモリーカード，ＭＯあるいはＣＤ−Ｒ等の記録媒体に記録された画像データについて写真プリントの作製を指示入力したときは、プリンタ制御装置２１は、外部入出力装置２８の該当するドライブに画像データの読み取りを指令し、そのドライブから画像データを順次受取って、内蔵メモリに記録する。
【００３１】
プリンタ制御装置２１は、入力された画像データに基づいてシミュレート画像を演算しモニタ２６に表示する。
操作者は、このモニタ２６上のシミュレート画像を観察して、適宜に操作卓２７から画像補正指示情報の入力操作を行う。
プリンタ制御装置２１は、入力された前記画像補正指示情報を反映した状態でプリント用の画像データを生成し、データ出力装置３３へ送る。
データ出力装置３３は、プリントヘッド３１の走査駆動と同期して、上述のようにしてヘッドコントローラ３２へ順次画像データを送信する。
【００３２】
ヘッドコントローラ３２は、データ出力装置３３から受け取った画像データに基づいて、各インク吐出ノズル毎にインク吐出の有無及びインクの吐出量を制御する。
ヘッドコントローラ３２の制御によってインク吐出ノズルからインクを吐出させながらプリントヘッド３１を主走査方向に移動させるプリント動作と、記録紙２を前記主走査方向と直交する副走査方向へ設定長搬送する記録紙搬送動作を交互に繰り返して、記録紙２上に画像をプリント形成する。
【００３３】
〔別実施形態〕
以下、本発明の別実施形態を列記する。
（１）上記実施の形態では、本発明の識別符号設定システムを、ラスタ制御装置５１にてノズルユニット４１毎に備えられる第１ヘッド制御装置５５〜第３ヘッド制御装置５７を制御する場合に適用する場合を例示しているが、前記主制御装置ＭＡ及び前記被管理装置ＳＬの組み合わせとしては、コンピュータシステムあるいは各種機械装置等に広く汎用的に適用できるものである。
（２）上記実施の形態では、識別符号設定制御回路６１の設定信号入力部６１ａをプルアップ接続する場合を例示しているが、設定信号入力部６１ａが「Ｌレベル」となったときに前記設定開始信号を受け取ったと検知するように構成する場合は、プルダウン接続すれば良い。
更に、識別符号入力部６１ｃについては、識別符号を設定するための初期値として「１１」（２進数表現）を付与するために、何れの信号ラインについてもプルアップ接続するものとしているが、所望の初期値に応じて、各信号ラインのプルアップ接続あるいはプルダウン接続は適宜に変更可能である。
【００３４】
（３）上記実施の形態では、自己の識別符号を設定するための前記設定演算規則として、「１」を加算する場合を例示しているが、この加算値は適宜に変更可能であり、又、「１」以上の数を減算する演算規則を前記設定演算規則としても良い。
更に、加算あるいは減算の代わりに、乗算等の種々の演算規則を用いることができる。
（４）上記実施の形態では、識別符号設定制御回路６１間で識別符号受け渡しするために、識別符号入力部６１ｃを他の識別符号設定制御回路６１の識別符号出力部６１ｄに接続して、識別符号設定制御回路６１間で直接的に識別符号を受け渡しする場合を例示しているが、夫々の識別符号設定制御回路６１において設定した識別符号をラスタ制御装置５１（主制御装置ＭＡ）へ登録し、ラスタ制御装置５１を介して設定した識別符号を伝達するようにしても良く、識別符号の伝達形態は適宜に変更可能である。
【図面の簡単な説明】
【００３５】
【図１】本発明の実施の形態にかかる要部ブロック構成図
【図２】本発明の実施の形態にかかるプリントヘッドの側面図
【図３】本発明の実施の形態にかかるフローチャート
【図４】本発明の実施の形態にかかる写真プリントシステムの概略構成図
【符号の説明】
【００３６】
ＭＡ    主制御装置
ＳＬ    被管理装置
６１    識別符号設定制御回路
６１ａ  設定信号入力部
６１ｂ  設定信号出力部
６１ｃ  識別符号入力部
６１ｄ  識別符号出力部
【図１】
2005235010.tif 000003
【図２】
2005235010.tif 000004
【図３】
2005235010.tif 000005
【図４】
2005235010.tif 000006